【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
オペレーティングシステムを有する情報処理システムのＰＣＩエクスプレスバスのバス上でエンドポイントへ経路を設定されるリンクを再構成する方法において、
エンドポイントがポピュレートされるか否かを検出することにより１以上のエンドポイントの状態を検出し、
前記検出ステップの結果に基づいて、ポピュレートされていないエンドポイントからポピュレートされたエンドポイントへ前記リンクの全てまたは一部を切換えることによりエンドポイントの帯域幅を変更するステップを含んでおり、
前記状態の検出およびエンドポイントの切換えを行うステップは、システムが動作のために付勢されており、オペレーティングシステムが作動中である状態で行われる方法。
【請求項２】
検出ステップはポピュレートされたエンドポイントに設置される装置の帯域幅要件を検出することにより行われる請求項１記載の方法。
【請求項３】
切換えステップはＰＣＩエクスプレスバス切換え構造に対して外部のスイッチにより行われる請求項１記載の方法。
【請求項４】
検出ステップはオペレーティングシステムに対して外部の回路を使用して行われる請求項１記載の方法。
【請求項５】
検出ステップはオペレーティングシステムを使用して行われる請求項１記載の方法。
【請求項６】
切換えステップは２以上のポピュレートされたエンドポイントへの切換えにより行われる請求項１記載の方法。
【請求項７】
リンクがバス上のエンドポイントへ経路を設定されている情報処理システムのＰＣＩエクスプレスバスのリンクを再構成する回路において、
１以上のエンドポイントがポピュレートされていないか否かを検出する制御装置と、
制御装置からの信号に応答して、情報処理システムが動作している期間中に、ポピュレートされていないエンドポイントからポピュレートされたエンドポイントへ前記リンクの全てまたは一部を切換えることによりポピュレートされたエンドポイントの帯域幅を増加するように動作可能な少なくとも１つのリンクに関連しているスイッチとを具備している回路。
【請求項８】
制御装置はポピュレートされたエンドポイントに設置された装置の帯域幅要求を検出する請求項７記載の回路。
【請求項９】
スイッチはＰＣＩエクスプレスバスのスイッチ構造に対して外部のものである請求項７記載の回路。
【請求項１０】
情報処理システムはホストブリッジを有し、制御装置はホストブリッジに集積されている請求項７記載の回路。
【請求項１１】
制御装置からの信号はスイッチに対して導かれる請求項７記載の回路。
【請求項１２】
制御装置からの信号は情報処理システムのオペレーティングシステムを通過する請求項７記載の回路。
【請求項１３】
中央処理装置と、
この中央処理装置によって実行可能なプログラムを記憶するメモリと、
入力／出力エンドポイントをシステムヘ接続するＰＣＩエクスプレスバスと、
ＣＰＵ、メモリ、およびバスを接続するホストブリッジとを具備し、
ＰＣＩエクスプレスバスはスイッチ構造とホストブリッジからエンドポイントへのリンクとを有し、
さらに、ＰＣＩエクスプレスバスのリンクを再構成し、１以上のエンドポイントがポピュレートされていないか否かを検出するための制御装置と、制御装置からの信号に応答して、情報処理システムが動作中である期間中に、前記リンクの全てまたは一部をポピュレートされていないエンドポイントからポピュレートされたエンドポイントへ切換えることによりエンドポイントの帯域幅を変更するように動作可能な少なくとも１つのリンクに関連するスイッチとを有するリンク再構成回路を具備している情報処理システム。
【請求項１４】
前記制御装置はポピュレートされたエンドポイントに設置されている装置の帯域幅要求を検出する請求項１３記載のシステム。
【請求項１５】
前記スイッチはＰＣＩエクスプレスバスのスイッチ構造に対して外部に位置している請求項１３記載のシステム。
【請求項１６】
前記制御装置はホストブリッジに集積されている請求項１３記載のシステム。
【請求項１７】
リンクがバス上のエンドポイントへ導かれる情報処理システムのＰＣＩエクスプレスバスのリンクを再構成する方法において、
１以上のエンドポイントの状態を検出し、前記検出ステップの結果に基づいて、１つのエンドポイントから２以上の他のエンドポイントへリンクの全て部を切換えるステップを含んでいる方法。
【請求項１８】
状態検出およびエンドポイントの切換えは、システムが動作のために付勢され、オペレーティングシステムが作動中である状態で行われる請求項１７記載の方法。
【請求項１９】
検出ステップは、エンドポイントがポピュレートされるか否かを検出することにより行われる請求項１７記載の方法。
【請求項２０】
切換えステップは、ポピュレートされていないエンドポイントから１以上のポピュレートされているエンドポイントへリンクを切換えることにより行われる請求項１９記載の方法。
【請求項２１】
検出ステップは、ポピュレートされたエンドポイントに設置される装置の帯域幅要件を検出することにより行われる請求項１７記載の方法。
【請求項２２】
切換えステップは、ＰＣＩエクスプレスバス切換え構造に対して外部のスイッチにより行われる請求項１７記載の方法。
【請求項２３】
情報処理システムはオペレーティングシステムを有し、検出ステップはオペレーティングシステムに対して外部の回路を使用して行われる請求項１７記載の方法。
【請求項２４】
情報処理システムはオペレーティングシステムを有し、検出ステップはオペレーティングシステムを使用して行われる請求項１７記載の方法。
【請求項２５】
情報処理システムは検出および切換えステップ期間中は動作している請求項１７記載の方法。
【請求項２６】
リンクがバス上のエンドポイントへ導かれている情報処理システムのＰＣＩエクスプレスバスのリンクを再構成する回路において、
１以上のエンドポイントの状態を検出する制御装置と、
前記制御装置からの信号に応答して、１つのエンドポイントから２以上の他のエンドポイントへそのリンクの全てを切換えるように動作可能な少なくとも１つのリンクに関連するスイッチとを具備している回路。
【請求項２７】
制御装置は状態を検出し、スイッチはシステムが動作のために付勢され、オペレーティングシステムが作動中である状態でリンクを切換える請求項２６記載の回路。
【請求項２８】
制御装置はエンドポイントがポピュレートされるか否かを検出する請求項２６記載の回路。
【請求項２９】
スイッチは１つのポピュレートされていないエンドポイントから１以上のポピュレートされているエンドポイントへリンクを切換えるように動作可能である請求項２８記載の回路。
【請求項３０】
制御装置はポピュレートされたエンドポイントに設置された装置の帯域幅要求を検出する請求項２６記載の回路。
【請求項３１】
制御装置はＰＣＩエクスプレスバスのスイッチ構造に対して外部のものである請求項２６記載の回路。
【請求項３２】
情報処理システムはホストブリッジを有し、制御装置はホストブリッジに集積されている請求項２６記載の回路。
【請求項３３】
制御装置からの信号は、スイッチに対して導かれる請求項２６記載の回路。
【請求項３４】
制御装置からの信号は、情報処理システムのオペレーティングシステムを通過する請求項２６記載の回路。
【請求項３５】
中央処理装置（ＣＰＵ）と、このＣＰＵによって実行可能なプログラムを記憶するメモリと、
ＣＰＵおよびメモリを接続するホストブリッジと、
入力／出力エンドポイントをシステムヘ接続し、スイッチ構造とホストブリッジからエンドポイントへのリンクとを有するＰＣＩエクスプレスバスとを具備し、
さらに、ホストブリッジはさらにバスをＣＰＵとメモリへ接続しており、
ＰＣＩエクスプレスバスのリンクを再構成し、１以上のエンドポイントの状態を検出するための制御装置と、制御装置からの信号に応答して、そのリンクの全てを１つのエンドポイントから２以上の他のエンドポイントへ切換えるように動作可能な少なくとも１つのリンクに関連するスイッチとを有するリンク再構成回路を具備している情報処理システム。
【請求項３６】
前記制御装置は、ポピュレートされたエンドポイントに設置されている装置の帯域幅要求を検出する請求項３５記載のシステム。
【請求項３７】
前記制御装置は、ＰＣＩエクスプレスバスのスイッチ構造に対して外部に位置している請求項３５記載のシステム。
【請求項３８】
前記制御装置は、ホストブリッジに集積されている請求項３５記載のシステム。